(57)【要約】【課題】  表示画像の画質を調整するパラメータの変更操作と、当該変更による画質変化の確認とを容易に行なう。【解決手段】  映像処理部１５で画質調整を含む映像信号処理がされた映像信号に基づく画像が映像出力部１６で表示されている状態において、制御部１７により画質調整パラメータの信号レベルが取得されて、その信号レベルを示すレベルデータは、リモコン３に送信されて表示部３６にて表示される。また、ユーザがリモコン３の操作部３１を操作して入力したレベルデータはＴＶ受像機１に送信されて、制御部１７は受信した当該レベルデータが示す信号レベルの画質調整パラメータの信号を映像処理部１５に出力するので、当該信号レベルに基づき画質調整がされた画像が映像出力部１６にて表示される。【選択図】        図１
2006180032.tif 000002
【特許請求の範囲】
【請求項１】
画像出力部と、前記画像出力部を遠隔制御するために操作される遠隔操作部とを備えて、表示画像の画質を調整する画質調整装置を有するテレビジョン受像機であって、
前記画像出力部は、
与えられる画質調整パラメータの信号に基づく画質調整を含む映像信号処理を行なう映像処理手段と、
前記映像処理手段により処理された映像信号に基づく画像を表示する表示手段と、
前記画質調整における前記画質調整パラメータの信号レベルを取得する調整レベル取得手段と、
前記調整レベル取得手段により取得した前記画質調整パラメータの信号レベルを示すレベルデータを、前記遠隔操作部に送信する出力部側送信手段と、
前記遠隔操作部から受信した前記レベルデータが示す信号レベルの前記画質調整パラメータの信号を前記映像処理手段に与える調整信号供給手段とを含み、
前記遠隔操作部は、
操作部側表示手段と、
前記出力部側送信手段から送信された前記レベルデータを受信して前記操作部側表示手段に表示するレベルデータ表示手段と、
外部操作に従い前記レベルデータを入力するためのレベルデータ入力手段と、
前記レベルデータ入力手段により入力された前記レベルデータを前記画像出力部に送信する操作部側送信手段とを含み、
前記レベルデータは、前記画質調整信号の相対的なレベルを示すデータであり、
前記出力部側送信手段は、前記取得した画質調整パラメータの信号レベルを、前記相対的なレベルを示す前記レベルデータに変換する手段を有し、
前記調整信号供給手段は、前記受信したレベルデータを、当該レベルデータが示す前記画質調整パラメータの信号レベルに変換する手段を有し、
前記画像出力部は、
前記遠隔操作部から前記レベルデータを受信した場合において、所定メッセージのデータを前記遠隔操作部に送信するメッセージ送信手段をさらに含み、
前記遠隔操作部は、
前記メッセージ送信手段から送信された前記所定メッセージのデータを受信して、前記操作部側表示手段に表示するメッセージ表示手段をさらに含み、
前記調整レベル取得手段は、
前記遠隔操作部から、所望の前記画質調整パラメータの信号レベルの取得要求を受信する取得要求受信手段を有し、前記取得要求受信手段が受信した前記所望の画質調整パラメータの信号レベルを取得し、
前記遠隔操作部は、
外部操作に従い指定された前記所望の画質調整パラメータについての、前記信号レベルの取得要求を送信する取得要求送信手段をさらに含む、画質調整装置を有するテレビジョン受像機。
【請求項２】
画像出力部と、前記画像出力部を遠隔制御するために操作される遠隔操作部とを備えて、表示画像の画質を調整するための画質調整装置であって、
前記画像出力部は、
与えられる画質調整パラメータの信号に基づく画質調整を含む映像信号処理を行なう映像処理手段と、
前記映像処理手段により処理された映像信号に基づく画像を表示する表示手段と、
前記画質調整における前記画質調整パラメータの信号レベルを取得する調整レベル取得手段と、
前記調整レベル取得手段により取得した前記画質調整パラメータの信号レベルを示すレベルデータを、前記遠隔操作部に送信する出力部側送信手段と、
前記遠隔操作部から受信した前記レベルデータが示す信号レベルの前記画質調整パラメータの信号を前記映像処理手段に与える調整信号供給手段とを含み、
前記遠隔操作部は、
操作部側表示手段と、
前記出力部側送信手段から送信された前記レベルデータを受信して前記操作部側表示手段に表示するレベルデータ表示手段と、
外部操作に従い前記レベルデータを入力するためのレベルデータ入力手段と、
前記レベルデータ入力手段により入力された前記レベルデータを前記画像出力部に送信する操作部側送信手段とを含む、画質調整装置。
【請求項３】
前記レベルデータは、前記画質調整信号の相対的なレベルを示すデータであり、
前記出力部側送信手段は、前記取得した画質調整パラメータの信号レベルを、前記相対的なレベルを示す前記レベルデータに変換する手段を有し、
前記調整信号供給手段は、前記受信したレベルデータを、当該レベルデータが示す前記画質調整パラメータの信号レベルに変換する手段を有する、請求項２に記載の画質調整装置。
【請求項４】
前記画像出力部は、
前記遠隔操作部から前記レベルデータを受信した場合において、所定メッセージのデータを前記遠隔操作部に送信するメッセージ送信手段をさらに含み、
前記遠隔操作部は、
前記メッセージ送信手段から送信された前記所定メッセージのデータを受信して、前記操作部側表示手段に表示するメッセージ表示手段をさらに含む、請求項２に記載の画質調整装置。
【請求項５】
前記調整レベル取得手段は、
前記遠隔操作部から、所望の前記画質調整パラメータの信号レベルの取得要求を受信する取得要求受信手段を有し、
前記取得要求受信手段が受信した前記所望の画質調整パラメータの信号レベルを取得し、
前記遠隔操作部は、
外部操作に従い指定された前記所望の画質調整パラメータについての、前記信号レベルの取得要求を送信する取得要求送信手段をさらに含む、請求項２に記載の画質調整装置。
【請求項６】
前記画像出力部は、テレビジョン受像機である、請求項２に記載の画質調整装置。
【発明の詳細な説明】
【技術分野】
【０００１】
この発明は画質調整装置および画質調整装置を有するテレビジョン受像機に関し、特に、遠隔操作にてＴＶ（Televisionの略）受像機などの画質を調整する画質調整装置および画質調整装置を有するテレビジョン受像機に関する。
【背景技術】
【０００２】
ＴＶ受像機やプロジェクタでは、関連の各種パラメータの値を変更することができる。ＴＶ受像機に関する各種のパラメータ値の調整を、ＴＶ受像機のリモコン（リモートコントローラ）を用いて実現するという提案がなされている。
【０００３】
たとえば特許文献１には、受信選局回路を２つ内蔵したＴＶ受像機の場合について、ＴＶ受像機と表示画面を有するリモコンとが双方向に通信しながら、チャンネル設定をリモコン画面で行なう技術が提案されている。この場合には、選択した画像や音声がＴＶ受像機からリモコン側に送信される。
【特許文献１】特開平１１−１９６２８６号公報
【発明の開示】
【発明が解決しようとする課題】
【０００４】
ＴＶ受像機に関連のパラメータとしては受信チャンネルの他に画質調整用のパラメータもある。通常、画質調整用のパラメータ値は図７のようにＴＶ受像機側で表示される。図７では実際の映像５０の上にＯＳＤ（On Screen Display）による画質調整用画像５１がオーバーラップして提示される。ユーザは、リモコン操作しながらパラメータを調整するときに実際の映像５０を見ながらパラメータ調整するわけであるが、オーバーラップ表示されている画質調整用画像５１のために、調整量が適当かどうかの画質の確認が妨げられる。
【０００５】
そこで、ＴＶ受像機側ではなく、リモコン側で画質調整用のパラメータ値を出力（表示）して確認できることが望ましい。しかしながら、前述した特許文献１では、リモコンはＴＶ受像機と双方向通信はするものの、映像や音声についての伝送のみがされるにとどまり、画質調整用のパラメータ値の伝送はされていなかったので、上述した課題を解消することができなかった。
【０００６】
それゆえにこの発明の目的は、表示画像の画質を調整するパラメータの変更操作と、当該変更による画質変化の確認とを容易に行なうことのできる画質調整装置および画質調整装置を有するテレビジョン受像機を提供することである。
【課題を解決するための手段】
【０００７】
この発明のある局面に従う画質調整装置は、画像出力部と、画像出力部を遠隔制御するために操作される遠隔操作部とを備えて、表示画像の画質を調整するために以下のように構成される。
【０００８】
画像出力部は、与えられる画質調整パラメータの信号に基づく画質調整を含む映像信号処理を行なう映像処理手段と、映像処理手段により処理された映像信号に基づく画像を表示する表示手段と、画質調整における画質調整パラメータの信号レベルを取得する調整レベル取得手段と、調整レベル取得手段により取得した画質調整パラメータの信号レベルを示すレベルデータを、遠隔操作部に送信する出力部側送信手段と、遠隔操作部から受信したレベルデータが示す信号レベルの画質調整パラメータの信号を映像処理手段に与える調整信号供給手段とを含む。
【０００９】
遠隔操作部は、操作部側表示手段と、出力部側送信手段から送信されたレベルデータを受信して操作部側表示手段に表示するレベルデータ表示手段と、外部操作に従いレベルデータを入力するためのレベルデータ入力手段と、レベルデータ入力手段により入力されたレベルデータを画像出力部に送信する操作部側送信手段とを含む。
【００１０】
したがって、画質調整を含む映像信号処理がされた映像信号に基づく画像が表示されている状態において、画質調整パラメータの信号レベルが取得されて、その信号レベルを示すレベルデータは、遠隔操作部に送信されて操作部側表示手段にて表示される。また、遠隔操作部のレベルデータ入力手段を介して外部操作により入力したレベルデータは画像出力部に送信されて、当該レベルデータが示す信号レベルの画質調整パラメータの信号に基づき画質調整がされた画像が表示される。
【発明の効果】
【００１１】
発明によれば、画質調整パラメータのレベルを表示しながらレベルデータ入力手段からレベルデータを外部操作により入力して変更し、変更後のレベルデータで画質調整された画像を表示する場合において、画質調整パラメータのレベルは、画像と同一の画像表示手段ではなく遠隔操作部側表示手段で別個に表示される。それゆえに、画質調整された画像の表示が画質調整パラメータのレベル表示で遮られることはないから、表示画像の画質を調整するパラメータの値の変更操作と、当該変更による画質変化の確認を容易に行なうことができる。
【発明を実施するための最良の形態】
【００１２】
以下、この発明の実施の形態について図面を参照し詳細に説明する。
【００１３】
本発明は、表示する映像（画像）の画質調整をすることが可能な装置に適用可能であって、本実施の形態では当該装置としてＴＶ受像機を例示しているが、これに限定されず、他には、たとえばプロジェクタなどに適用されてもよい。
【００１４】
また、本実施の形態では、画質調整パラメータの種類は“輝度”、“コントラスト”、“彩度”および“色あい”の４種類としているけれども種類はこの４つに限定されるものではなく、また調整用パラメータの種類は１つ以上あればよく、４つに限定されるものではない。
【００１５】
図１（Ａ）を参照して、本実施の形態に係るＴＶ受像機１とＴＶ受像機１を遠隔操作するためのリモコン３とは双方向に通信する。ＴＶ受像機１は、図示のないアンテナから受信したＴＶ信号を入力するための端子などである入力部１１、入力部１１により入力したＴＶ信号について所望されるチャンネルについての信号のみを導出するためのチューニング動作などを行なうための受信部１２、受信部１２により導出されたＴＶ信号について音声副搬送波により変調された音声信号を復調し出力する音声処理部１３、音声処理部１３より出力された音声信号を入力してテレビジョン音声を出力する音声出力部１４、受信部１２から出力されたＴＶ信号について色復調などの各種映像信号処理を行ない、さらに受信ＴＶ信号から同期信号を分離し、映像出力部１６を介して映像（画像）を出力するための映像処理部１５、リモコン３との通信のためのＴＶ側受信部２０およびＴＶ側送信部２１、ならびにこれら各部を制御するための制御部１７を備える。
【００１６】
ＴＶ側受信部２０は、リモコン３から受信した信号を復調して、復調結果のデータを制御部１７に与える。また、ＴＶ側送信部２１は、制御部１７から与えられるデータを変調して、リモコン３側に送信する。
【００１７】
制御部１７は、簡単なマイクロコンピュータの機能を有する変換部１９および入出力部１８を備える。入出力部１８は、変換部１９と映像処理部１５との間の信号のやり取りを行なう。
【００１８】
映像処理部１５は、映像出力部１６において出力される映像信号のために当該映像信号に基づく画像の輝度、コントラスト、彩度および色あいなどの画質を調整するための回路（図示せず）を有していると想定する。
【００１９】
リモコン３は、ユーザにより外部操作可能なように設けられて、各種情報（指令など）を入力するための操作部３１、操作部３１による操作内容を入力して、入力内容に基づくリモコンコードを生成するなどの処理を行なう入力処理部３２、入力処理部３２から与えられるリモコンコードを変調して、送信するリモコン側送信部３３、ＴＶ受像機１から送信されたリモコンコードの信号を受信し復調するリモコン側受信部３４、リモコン側受信部３４により復調されたリモコンコードを処理し、その処理結果に基づくデータを表示部３６に表示するための表示処理部３５を備える。表示部３６は、たとえば液晶ディスプレイなどからなる。図１（Ｂ）には、ＴＶ受像機１とリモコン３の外観が示されている。
【００２０】
ここでは、リモコン３とＴＶ受像機１とは赤外線による通信を行なうと想定しているが、電磁波による通信が行なわれるとしてもよい。
【００２１】
図２には、リモコン３の操作パネル面が示される。操作パネル面には、ユーザがリモコン３を操作しながら表示内容を確認可能なように表示部３６と操作部３１とが設けられている。操作部３１には、ＴＶ受像機１の電源をＯＮ／ＯＦＦするボタン、ＴＶ受像機１の入力を切換えするためのボタン、音量を調整するためのボタン、チャンネルなどの指定をするために、各種情報を入力するために操作されるテンキー３７、画質を調整する際に操作される画質調整用キー群３８、カーソルキー群３９および操作した内容を決定するために操作される決定キー４０を備える。表示部３６には画質調整時には、画質調整用画像５１が表示される。
【００２２】
画質調整用キー群３８は、画質調整のパラメータとして、前述した４種類のパラメータのそれぞれを指定するための各キーを備えている。カーソルキー群３９はＴＶ受像機１の映像出力部１６の表示画面上に提示されるカーソル（図示せず）を移動するために操作される。
【００２３】
図３にはＴＶ受像機１の変換部１９の内部構成が示される。変換部１９はＣＰＵ（Central Processing Unit）２２、メモリ２３、入出力部１８と送受信するためのＩ／Ｆ（インターフェイスの略）部２５、ＴＶ側受信部２０およびＴＶ側送信部２１と送受信するためのＩ／Ｆ部２６、プログラムやデータを格納するためのＲＯＭ（Read Only Memory）２７、および計時動作して計時データをＣＰＵ２２に出力するタイマ２８を備える。
【００２４】
メモリ２３には、画質調整のための前述した４種類のパラメータのそれぞれに対応して変換テーブル２４が予め格納されている。変換テーブル２４は、対応のパラメータの複数の相対レベルデータのそれぞれに対応して、信号レベルデータを予め格納している。相対レベルデータは、リモコン３との送受信に用いられるデータである。信号レベルデータは、対応の相対レベルデータが示すレベルの画質の映像を映像出力部１６に表示するために映像処理部１５の図示のない画質調整回路に与える調整用の信号レベル（電圧値あるいは電流値など）を示す。
【００２５】
たとえば、調整用パラメータが“輝度”である場合、その変換テーブル２４には相対レベルデータとして輝度レベルデータが格納される。輝度レベルデータは、相対的な輝度を示すレベルであり、たとえば映像処理部１５の輝度調整回路の調整用の信号レベルの最大Max（mV）を１００とし、最小Min（mV）を１とした場合の現在の輝度調整回路に供給されている調整用の信号レベルを換算して得られる１〜１００の間のいずれかの値を示す。
【００２６】
他の“コントラスト”、“彩度”および“色あい”の変換テーブル２４についても、輝度のそれと同様である。つまり、映像処理部１５中の対応の画質調整回路（コントラスト調整回路、彩度調整回路、および色あい調整回路）の調整用の信号レベルのそれぞれに対応して、上述のように換算して得られるコントラストレベルデータ、彩度レベルデータおよび色あいレベルデータが格納されている。
【００２７】
図４（Ａ）〜（Ｃ）には、ＴＶ受像機１とリモコン３との間で送受信されるリモコンコードの内容例が示される。リモコン３からＴＶ受像機１に対して、ある種の画質調整用パラメータの現在のレベルの取得を要求する場合には、図４（Ａ）のリモコンコードがリモコン３から送信される。図４（Ａ）のリモコンコードには、当該リモコンコードはデータの取得要求を示すためにヘッダとしての“ＲＱ”と、現在レベルの取得が要求される“パラメータ種別”を特定するコードとが含まれている。
【００２８】
図４（Ｂ）のリモコンコードはリモコン３から送信される。図４（Ｂ）のリモコンコードには、当該リモコンコードは画質調整のためのパラメータレベルを送信するためのコードであることを示すためにヘッダとしての“ＡＤ”と、送信されるレベルデータのパラメータ種別を特定するコードと、当該種別のパラメータのレベルデータを示すコードとが含まれている。
【００２９】
図４（Ｃ）のリモコンコードは、ＴＶ受像機１からリモコン３に送信される。このリモコンコードは図４（Ａ）の要求に対する返信のコードである。したがって、返信であることを示すためにヘッダとして“ＡＳ”と、要求された（返信する）レベルデータのパラメータの種別を特定するコードと、当該種別で特定されるパラメータのレベルデータを示すコードとが含まれる。
【００３０】
ここで、図５のフローチャートに従い、リモコン３を用いたＴＶ受像機１の画質調整の手順について説明する。ユーザは、ＴＶ受像機１の映像出力部１６に表示される映像を見ている際に輝度を調整すると想定する。調整するパラメータ種別は輝度に限定されない。
【００３１】
まず、ユーザは表示映像を見ながらリモコン３の画質調整用キー群３８の“輝度”のキーを操作する（ステップＳ（以下、単にＳと略す）２１でＹＥＳ）。この操作がされると、入力処理部３２は操作されたキーに基づき、図４（Ａ）のリモコンコードを生成して、生成したリモコンコードをリモコン側送信部３３に出力するので、リモコン側送信部３３は入力したリモコンコードを赤外線変調して送信する（Ｓ２３）。
【００３２】
ＴＶ受像機１では、ＴＶ側受信部２０はリモコン３からのリモコンコードを受信すると、これを復調して変換部１９に出力する。変換部１９のＣＰＵ２２はＴＶ側受信部２０からのリモコンコードをＩ／Ｆ部２６を介して入力する。そして入力したリモコンコードに基づいてそのヘッダは“ＲＱ”を示すか否か、すなわち図４（Ａ）の画質調整パラメータのレベルデータの要求のためのリモコンコードであるか否かを判別する（Ｓ１）。
【００３３】
判別の結果、ヘッダが“ＲＱ”を示さないと判定すると、後述のＳ９の処理に移行する。
【００３４】
一方ヘッダが“ＲＱ”を示すと判別すると（Ｓ１でＹＥＳ）、ＣＰＵ２２は入力したリモコンコードが示す要求されている種別のパラメータの現在の信号レベルを検出する（Ｓ３）。
【００３５】
つまり、ＣＰＵ２２はＩ／Ｆ部２５と入出力部１８とを介して映像処理部１５の、要求された種別のパラメータである輝度の調整回路に供給されている調整用の信号レベルを取得する。
【００３６】
次に、ＣＰＵ２２は、取得した輝度調整用の信号レベルに基づきメモリ２３の輝度の変換テーブル２４を検索して、対応の輝度レベルデータを読出す（Ｓ５）。これにより、輝度調整回路の調整用信号（電圧信号または電流信号）のレベルは、相対的な輝度レベルデータに変換される。
【００３７】
次に、ＣＰＵ２２は変換後の（読出した）輝度レベルデータと、輝度パラメータであることを示すパラメータ種別のデータと、ヘッダとしての“ＡＳ”とを用いた図４（Ｃ）のリモコンコードを生成して、Ｉ／Ｆ部２６を介してＴＶ側送信部２１に出力するので、ＴＶ側送信部２１は与えられた図４（Ｃ）のリモコンコードを変調して送信する（Ｓ７）。その後、ＣＰＵ２２は待機状態となる。
【００３８】
一方、リモコン３では、ＴＶ受像機１のＳ７において送信された図４（Ｃ）のリモコンコードをリモコン側受信部３４にて受信して（Ｓ２５でＹＥＳ）、復調し、復調したリモコンコードを表示処理部３５に与えるので、表示処理部３５は入力したリモコンコードの内容に基づき、表示部３６に、たとえば図２のように“コード：５０”という画質調整用画像５１の表示をする（Ｓ２７）。
【００３９】
ユーザは、手元のリモコン３の表示部３６に表示された画質調整用画像５１を確認して、輝度を変更するために、テンキー３７を操作して所望の値を入力する。テンキー３７の操作により任意の値を入力し終えて、最後に決定キー４０が操作されると、入力処理部３２は、操作部３１から当該操作内容を入力して（Ｓ２９）、これに基づき図４（Ｂ）のリモコンコードを生成し、リモコン側送信部３３に出力するので、リモコン側送信部３３は与えられたリモコンコードを変調して送信する（Ｓ３１）。なお、テンキー３７を操作して入力した値が表示部３６に表示されるようにしてもよい。
【００４０】
ＴＶ受像機１では、ＴＶ側受信部２０でリモコン３からのリモコンコードを受信し、これを復調して変換部１９に与えるので、ＣＰＵ２２は待機状態を解除して当該リモコンコードを入力し、入力したリモコンコード中のヘッダが“ＡＤ”であるか否かを判別する（Ｓ９）。“ＡＤ”でないと判別すると一連の処理を終了する。ここでは、“ＡＤ”でないと処理を終了しているが、受信したリモコンコードに従う他の処理（図示せず）に移行するようにしてもよい。
【００４１】
一方、“ＡＤ”である、すなわちリモコン３からのレベルデータの受信であると判別すると（Ｓ９でＹＥＳ）、ＣＰＵ２２はリモコンコードを受信したことを示すメッセージのリモコンコードを生成して、Ｉ／Ｆ部２６およびＴＶ側送信部２１を介して送信する（Ｓ１０）。リモコン３のリモコン側受信部３４は当該リモコンコードを受信するので（Ｓ３３でＹＥＳ）、受信したリモコンコードが示すメッセージは、表示処理部３５を介して表示部３６に表示される（Ｓ３５）。
【００４２】
次に、ＣＰＵ２２は、入力したリモコンコードが指示するレベルデータに基づき、入力したリモコンコードが示す種別、すなわち輝度に対応のパラメータの変換テーブル２４を検索して、対応の信号レベルデータを読出す（Ｓ１１）。
【００４３】
読出された信号レベルデータが示すレベルの信号は、ＣＰＵ２２のリモコンコードに従う制御により入出力部１８を介して映像処理部１５の輝度調整回路に与えられるので、輝度調整回路は、当該信号レベルに基づく動作をする。その結果、映像出力部１６に表示される映像の輝度は調整（変更）される（Ｓ１３）。
【００４４】
このような輝度レベルが調整された映像出力部１６の画像の画質を確認したユーザは、再度の輝度調整を所望する場合は、リモコン３側ではＳ２１以降の処理が、またＴＶ受像機１側ではＳ１以降の処理が同様に繰返される。
【００４５】
このように、画質調整時においてＳ１３で映像出力部１６に表示される映像は、図６のようである。図６では、従来の図７のように画質調整用画像５１が重畳されないので、実際の映像５０の全体を見ながら画像調整を行なうことができ、パラメータの変更操作と当該変更による画質変化（輝度の変化）の確認とを容易に行なうことができる。
【００４６】
（変形例）
また、図５のＳ１０では、画質調整用のリモコンコードを受信できた旨のメッセージがＴＶ受像機１からリモコン３に送信されてリモコン３にて表示されるので、ユーザはＴＶ受信機１にて画質調整が行なわれたことを認識できる。なお、このメッセージ送信とリモコン３でのメッセージ表示は、図５のＳ１３の後に行なうようにしてもよい。
【００４７】
また、ここでは変換テーブル２４を参照してレベル変換をしていたが、変換のための計算式を準備して、これを用いた算出により変換するようにしてもよい。
【００４８】
また、図５のＳ９では、ＣＰＵ２２は、リモコン３からリモコンコードを受信すると待機状態を解除していたが、次のようにしてもよい。つまり、図３のタイマ２８を用いて、Ｓ７の送信完了後から計時開始し、その後、所定時間内にリモコンコードを受信できる場合には、待機状態を解除して処理を続けるようにするが、所定時間内にリモコン３からリモコンコードを受信できない場合には、“画質調整モードは解除された”旨のメッセージをリモコン３に送信してリモコン３にて表示し、ＴＶ受像機１側では図５の一連の処理を終えるようにしてもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】（Ａ）と（Ｂ）は、この発明の実施の形態に係るＴＶ受像機とリモコンの内部ブロック構成と外観とを示す図である。
【図２】この発明の実施の形態に係るリモコンの操作パネル面を示す図である。
【図３】この発明の実施の形態に係るＴＶ受像機の変換部の内部ブロックを示す図である。
【図４】（Ａ）〜（Ｃ）は、この発明の実施の形態に係る送受信されるリモコンコードを示す図である。
【図５】この発明の実施の形態に係る処理手順を示すフローチャートである。
【図６】この発明の実施の形態に係る画質調整時の表示の一例を示す図である。
【図７】従来の画質調整時の表示の一例を示す図である。
【符号の説明】
【００５１】
１  ＴＶ受像機、３  リモコン、１９  変換部、２４  変換テーブル、３８  画質調整用キー群、５１  画質調整用画像。
【図１】
2006180032.tif 000003
【図２】
2006180032.tif 000004
【図３】
2006180032.tif 000005
【図４】
2006180032.tif 000006
【図５】
2006180032.tif 000007
【図６】
2006180032.tif 000008
【図７】
2006180032.tif 000009